【手続補正書】
【提出日】平成18年12月25日(2006.12.25)
【手続補正１】
【補正対象書類名】特許請求の範囲
【補正対象項目名】全文
【補正方法】変更
【補正の内容】
【特許請求の範囲】
【請求項１】
患者内のターゲットの位置を発見するためのリード線なしマーカーであって、
患者内のターゲット部位に対して選択された位置に位置決めされるように構成されたケーシングと、
導体の複数の巻きを含む誘導子を前記ケーシング内に有し、該ケーシングを通って延びる外部電気リード線のない共鳴回路と、
マーカーが１．５Ｔの場の強度と３Ｔ／ｍの勾配とを有する撮像磁場内にある時に、該撮像磁場によってマーカーに掛けられた力がマーカーに掛かる重力よりも大きくないような容積を有し、少なくとも部分的に前記誘導子内にある強磁性要素と、
を含むことを特徴とするマーカー。
【請求項２】
（ａ）前記誘導子は、前記導体に電気的に結合したコンデンサを更に含み、
（ｂ）前記強磁性要素は、約０．５ｍｍよりも大きくない直径を有するフェライト棒を含み、
（ｃ）前記ケーシングは、約２ｍｍよりも大きくない外径を有する、
ことを特徴とする請求項１に記載のマーカー。
【請求項３】
前記強磁性要素は、約０．２ｍｍから０．７ｍｍの直径と約２ｍｍから１２ｍｍの長さとを有するフェライト棒を含むことを特徴とする請求項１に記載のマーカー。
【請求項４】
前記強磁性要素は、約０．５ｍｍ3から１９．０ｍｍ3の容積を有するフェライト棒を含むことを特徴とする請求項１に記載のマーカー。
【請求項５】
前記強磁性要素は、フェライト棒を含み、
前記棒の容積は、約１．５Ｔの共鳴磁場によって生成された画像内に１５００ｍｍ2のアーチファクトを生成するフェライトの容積よりも小さい、
ことを特徴とする請求項１に記載のマーカー。
【請求項６】
前記強磁性要素は、フェライト棒を含み、
前記棒の容積は、約１．５Ｔの共鳴磁場によって生成された画像内に４００ｍｍ2から１２００ｍｍ2のアーチファクトを生成するフェライトの容積よりも小さい、
ことを特徴とする請求項１に記載のマーカー。
【請求項７】
（ａ）前記強磁性要素は、約０．２ｍｍから０．７ｍｍの直径を有するフェライト棒を含み、
（ｂ）前記巻きは、約０．２ｍｍから０．８ｍｍの内径と約０．８ｍｍから１．９ｍｍの外径とを有するコイルを含み、
（ｃ）前記ケーシングは、約１．０ｍｍから２．５ｍｍの外径を有する、
ことを特徴とする請求項１に記載のマーカー。
【請求項８】
（ａ）前記強磁性要素は、約０．３ｍｍから０．５ｍｍの直径を有するフェライト棒を含み、
（ｂ）前記巻きは、約０．３ｍｍから０．６ｍｍの内径と約１．２ｍｍから１．９ｍｍの外径とを有するコイルを含み、
（ｃ）前記ケーシングは、約２ｍｍの外径を有する、
ことを特徴とする請求項１に記載のマーカー。
【請求項９】
（ａ）前記誘導子は、前記導体に電気的に結合したコンデンサを前記強磁性要素の一端に更に含み、
（ｂ）前記コンデンサの他端における該コンデンサに関して対称なモジュール、
を更に含むことを特徴とする請求項１に記載のマーカー。
【請求項１０】
患者内のターゲットの位置を発見するためのリード線なし埋込可能マーカーであって、
患者内に永久的に埋め込まれるように構成されたケーシングと、
マーカーが１．５Ｔの場の強度と３Ｔ／ｍの勾配とを有する撮像磁場内にある時に、該磁場によってマーカーに掛けられた力がマーカーに掛かる重力よりも大きくないような容積を有する、前記ケーシング内の強磁性要素と、
前記強磁性要素の少なくとも一部分の回りに導体の複数の巻きを含む誘導子を前記ケーシング内に有し、該ケーシングを通って延びる外部電気リード線のない共鳴回路と、
を含み、
前記共鳴回路は、励振磁場によって通電されて基準センサアセンブリに対するマーカーの位置を特定するための応答信号を生成するように構成される、
ことを特徴とするマーカー。
【請求項１１】
患者内のターゲットの位置を発見するための埋込可能無線マーカーであって、
長さとこの長さに垂直な０．７ｍｍよりも大きくない断面寸法とを有する強磁性コアと、
前記強磁性コアの少なくとも一部分を取り囲む複数の巻きを有する導電要素を含み、外部電気リードに結合していない共鳴回路と、
前記強磁性コアと前記共鳴回路との回りのケーシングと、
を含むことを特徴とするマーカー。
【請求項１２】
患者内のターゲットの位置を発見するための埋込可能無線マーカーであって、
約０．７ｍｍよりも大きくない外径を有する強磁性コアと、
前記コアの少なくとも一部分の回りに位置決めされた巻きを有するコイルと、
外部電気リードが突出していない、前記コアと前記コイルとの回りのケーシングと、
を含むことを特徴とするマーカー。
【請求項１３】
患者内のターゲットの位置を発見するためのリード線なし埋込可能マーカーであって、
１．５Ｔの磁場強度と３Ｔ／ｍの勾配とを用いる磁気共鳴装置からの画像内に１５００ｍｍ2よりも大きくない画像アーチファクトを生成する容積を有する強磁性コアと、
前記強磁性コアの少なくとも一部分を取り囲む複数の巻きを有する導電要素を含み、外部電気リードに結合していない共鳴回路と、
前記コアと前記共鳴回路とを封入するケーシングと、
を含むことを特徴とするマーカー。
【請求項１４】
患者内のターゲットの位置を発見するためのリード線なし埋込可能マーカーであって、
第１の端部と第２の端部とを有する強磁性要素と、
前記強磁性要素の少なくとも一部分を取り囲む導体の複数の巻きを有する誘導子と該強磁性要素の前記第１の端部におけるコンデンサとを含む共鳴回路と、
前記強磁性要素の前記第２の端部における前記コンデンサに関して対称なモジュールと、
前記強磁性要素と前記共鳴回路と前記モジュールとの回りのケーシングと、
を含むことを特徴とするマーカー。
【請求項１５】
ターゲットに対して埋め込まれたマーカーを有する患者内のターゲットを撮像する方法であって、
磁気共鳴画像診断装置内で患者に磁場を受けさせる段階と、
前記磁場によってマーカーに掛かる力が該マーカーに掛かる重力よりも小さいような容積を有するフェライトコアを該マーカーに設ける段階と、
を含むことを特徴とする方法。
【請求項１６】
マーカーを製造する方法であって、
強磁性要素を準備する段階と、
導体の複数の巻きを含む誘導子のコイルを少なくとも前記強磁性要素の一部分の回りに位置決めする段階と、
前記強磁性要素と前記コイルをケーシングに封入する段階と、
を含み、
前記強磁性要素は、マーカーが１．５Ｔの場の強度と３Ｔ／ｍの勾配とを有する磁気共鳴装置内にある時に、該磁場によって該マーカーに掛かる力が該マーカーに掛かる重力よりも小さいような容積を有する、
ことを特徴とする方法。
【請求項１７】
マーカーを製造する方法であって、
強磁性要素を準備する段階と、
導体の複数の巻きを含む誘導子のコイルを少なくとも前記強磁性要素の一部分の回りに位置決めする段階と、
マーカーの放射線撮影重心と磁気重心が少なくとも実質的に一致するように前記強磁性要素を位置決めする段階と、
を含むことを特徴とする方法。
【請求項１８】
患者のターゲットの位置を発見するための無線マーカーであって、
ケーシングと、
無線で送られた励起エネルギに応答して無線で送られる磁場を生成し、磁気重心を有し、前記ケーシングに少なくとも部分的に封入された磁気トランスポンダと、
マーカーが前記磁気重心と少なくともほぼ一致する放射線撮影重心を有するような放射線撮影画像における放射線撮影プロフィールを有し、前記ケーシング及び／又は前記磁気トランスポンダによって担持された撮像要素と、
を含むことを特徴とするマーカー。
【請求項１９】
患者のターゲットの位置を発見するための無線マーカーであって、
ケーシングと、
無線で送られた励起場に応答して無線で送られる磁場を生成し、第１の密度を有する、前記ケーシング内の磁気トランスポンダと、
前記磁気トランスポンダの前記第１の密度よりも大きい第２の密度を有し、前記ケーシング及び／又は該磁気トランスポンダによって担持された撮像要素と、
を含むことを特徴とするマーカー。
【請求項２０】
患者のターゲットの位置を発見するための無線マーカーであって、
ケーシングと、
無線で送られた励起場に応答して無線で送られる磁場を生成する、前記ケーシングに少なくとも部分的に封入された磁気トランスポンダと、
超高圧光子療法ビームを用いて生成された放射線撮影画像において可視であるそのような療法ビームの入射光子フルエンスを十分に吸収する、前記ケーシング及び／又は前記磁気トランスポンダによって担持された撮像要素と、
を含むことを特徴とするマーカー。
【請求項２１】
患者のターゲットの位置を発見するための無線マーカーであって、
ケーシングと、
無線で送られた励起場に応答して無線で送られる磁場を生成する、前記ケーシングに少なくとも部分的に封入された磁気トランスポンダと、
少なくとも１９ｇ／ｃｍ3の密度を有し、前記ケーシング及び／又は前記磁気トランスポンダによって担持された撮像要素と、
を含むことを特徴とするマーカー。
【請求項２２】
患者のターゲットの位置を発見するための無線マーカーであって、
ケーシングと、
無線で送られた励起場に応答して無線で送られる磁場を生成する、前記ケーシングに少なくとも部分的に封入された磁気トランスポンダと、
マーカーが磁気重心と少なくともほぼ一致する放射線撮影重心を有するような放射線撮影画像における放射線撮影プロフィールを生成する、前記ケーシング及び／又は前記磁気トランスポンダと共に組み込まれた撮像要素と、
を含むことを特徴とするマーカー。
【請求項２３】
患者のターゲットを追跡する方法であって、
マーカーの画像を得るために、第１のエネルギを使用して、患者に取り付けられた該マーカーを撮像する段階、
を含み、
前記マーカーは、無線で送信された励起エネルギに応答して無線で送信される信号を生成する磁気トランスポンダを有し、
前記励起エネルギを前記マーカーに送信することにより該マーカーの位置を発見する段階、
を更に含むことを特徴とする方法。